(57)【要約】【課題】  鼻あての角度を調節でき、自分で眼鏡テンプルを取り外すことのできる分解可能および調節可能な縁なし眼鏡を提供する。【解決手段】  縁なし眼鏡レンズ（１０）と、眼鏡テンプル（２０）と、鼻あて（３０）とを有し、前記縁なし眼鏡レンズの二つの外側周縁は別々に外へ延伸する突出部（１１）が形成され、二つの眼鏡テンプルの先端には別々に前後中空の挿入ホール（２１）が設置され、縁なし眼鏡レンズの突出部（１１）を挿入ホール（２１）に挿入し、その一部を挿入ホール（２１）の後端からむき出しにし、二つの眼鏡テンプルの先端部には別々に一つの回転体（４０）が回転できるように設置され、前記回転体を回転することによって、挿入ホール（２１）の後端から突出する縁なし眼鏡レンズの突出部（１１）の一部とクランプして固定する。【選択図】  図１
2015210528.tif 000002
【特許請求の範囲】
【請求項１】
縁なし眼鏡レンズ（１０）と、眼鏡テンプル（２０）と、鼻あて（３０）とを有し、前記縁なし眼鏡レンズの二つの外側周縁は別々に外へ延伸する突出部（１１）が形成され、
二つの眼鏡テンプルの先端には別々に前後中空の挿入ホール（２１）が設置され、縁なし眼鏡レンズの突出部（１１）を挿入ホール（２１）に挿入し、その一部を挿入ホール（２１）の後端からむき出しにし、
二つの眼鏡テンプルの先端部には別々に一つの回転体（４０）が回転できるように設置され、前記回転体を回転することによって、挿入ホール（２１）の後端から突出する縁なし眼鏡レンズの突出部（１１）の一部とクランプして固定すること、
を特徴とする分解および調節可能な縁なし眼鏡。
【請求項２】
前記回転体（４０）にクランプピン（４１）が形成されるとともに、前記縁なし眼鏡レンズ（１０）の突出部（１１）には前記クランプピンが嵌合されるはめ込みホール（１２）が形成され、前記突出部（１１）を挿入ホール（２１）に挿入して前記はめ込みホール（１２）を前記挿入ホール（２１）の後端から突出させ、前記回転体を回転させることによって、前記クランプピン（４１）を前記突出部のはめ込みホール（１２）に嵌合させることを特徴とする請求項１に記載の分解可能および調節可能な縁なし眼鏡。
【請求項３】
前記挿入ホール（２１）の後側と対応する前記二つの眼鏡テンプル（２３）の先端部の裏側面には別々に一つの収容溝（２２）が設置され、前記挿入ホール（２１）の後端は前記収容溝（２２）に連通し、前記回転体（４０）は前記眼鏡テンプルの収容溝内に回転できるように設置されることを特徴とする請求項１に記載の分解可能および調節可能な縁なし眼鏡。
【請求項４】
前記回転体の一端は前記眼鏡テンプルの収容溝内に回転できるように設置され、前記回転体のもう一端には凹部（４３）が形成されて前記回転体の他端部を二つの支部に分割し、前記回転体を縁なし眼鏡レンズの突出部（１１）の一部とクランプさせる際に、一方の前記支部を前記収容溝（２２）内に収容し、他方の前記支部を前記収容溝（２２）の外に突出させて回転ハンドルを形成することを特徴とする請求項３に記載の分解可能および調節可能な縁なし眼鏡。
【請求項５】
前記二つの眼鏡テンプルは眼鏡テンプル本体（２３）と、接続部材（２４）とを有し、接続部材（２４）を眼鏡テンプル本体の先端に接続し、前記挿入ホール（２１）と、収容溝（２２）とが前記接続部材に形成されることを特徴とする請求項３に記載の分解可能および調節可能な縁なし眼鏡。
【請求項６】
前記眼鏡テンプル本体の先端が前記接続部材の後端に回転可能に取り付けられ、前記接続部材の後端の外側には回り止め壁が形成され、この回り止め壁によって展開状態の前記眼鏡テンプル本体の展開方向への回転を規制することを特徴とする請求項５に記載の分解可能および調節可能な縁なし眼鏡。
【請求項７】
前記接続部材の後端の裏側には一つの後開きの凹溝が設置され、前記眼鏡テンプル本体の先端には一つの延伸部があり、前記延伸部を凹溝に回転できるように設置され、前記凹溝の溝底部の位置する構造が前記回り止め壁を形成することを特徴とする請求項６に記載の分解可能および調節可能な縁なし眼鏡。
【請求項８】
前記鼻あて（３０）にはパッド（３１）と、パッドホルダー（３２）と、固定軸（３３）と、ホルダー（３４）とを有し、前記パッドホルダー（３２）の一端にはクランプ縁（３２１）が形成され、前記パッドの底端には前記クランプ縁と係合する固定凹溝が形成され、前記クランプ溝と前記固定凹溝とを係合させることで前記パッドホルダー（３２）に前記パッド（３１）を取り付け、前記パッドホルダー（３２）のもう他端にはクラッド構造（３２２）が形成されるとともに前記クラッド構造（３２２）が固定軸（３３）を軸に回転できるように形成され、前記ホルダー（３４）の両端にラグ（３４１）が設けられ、二つのラグの相対側の頂端にはクランプ溝（３４２）が形成され、前記クランプ溝の側壁にはホールが設置され、ホールと対応するために、前記固定軸の両端にはいくつかのエンボス（３３１）が設置され、前記固定軸の両端をクランプ溝内に挿入でき、エンボス（３３１）を対応のホール内に嵌め込んで前記固定軸を固定し、前記縁なし眼鏡レンズには取り付けホルダー（６０）が設けられ、この取り付けホルダー（６０）によって前記ホルダー（３４）及びパッド（３１）を前記縁なし眼鏡レンズに取り付けることに使うことを特徴とする請求項１〜７のいずれかに記載の分解可能および調節可能な縁なし眼鏡。
【請求項９】
前記クラッド構造（３２２）は中空の円柱体で、前記固定軸の断面は多角形であることを特徴とする請求項８に記載の分解可能および調節可能な縁なし眼鏡。
【請求項１０】
前記クラッド構造の側壁にクランプ口が設置され、前記固定軸の外壁には制限ラグが対応して設置され、前記制限ラグがクランプ口内に位置し、クラッド構造の回転角度を制限することを特徴とする請求項８に記載の分解可能および調節可能な縁なし眼鏡。
【請求項１１】
前記クラッド構造の内壁にはいくつかの細溝が固定軸の軸方向へ延伸して設置され、前記固定軸の外周にはいくつかの突出バーが設置されることを特徴とする請求項８に記載の分解可能および調節可能な縁なし眼鏡。
【発明の詳細な説明】
【技術分野】
【０００１】
本発明は眼鏡に関し、とくに分解可能および調節可能な縁なし眼鏡に関する。
【背景技術】
【０００２】
眼鏡は人々の生活に重要な役割を果たし、視力保護や近視防止の道具である。縁なし眼鏡には常に縁なし眼鏡レンズと、二つの眼鏡テンプルとがあり、かつ二つの眼鏡テンプルを縁なし眼鏡レンズとロックして固定するには、よくねじを使い、取り外すとき、ねじ回しなどの専用工具を使う必要があるが、使用者の容姿を変えるため、眼鏡テンプルを取り換えようとするとき、自分で迅速に取り換えることができない（例えば特許文献１参照）。
従来技術の中には、特許文献２〜４に示すように嵌め付けや係合により眼鏡フレームと眼鏡レンズとを取り付けるものがあるが、眼鏡レンズを着脱する際に大きい力がかかるうえに（強制的な動き）、ある程度の熟練も必要となり、着脱が不便で、眼鏡やレンズに傷を付けやすいという問題がある。
そのほか、鼻あては眼鏡を鼻梁にかけることに使う支えで、一般には一体固定式と、フレーム及びねじ組立式との二種類に分けることができる。よく存在する問題は、鼻あての位置は固定で、鼻あてのパッドと、眼鏡フレームとの間の距離を調節できず、異なる使用者が同じサイズの眼鏡をかけると、鼻翼の高さが違うので、パッドの支えはしっかりしなく、または支えた鼻翼の位置は適切ではないという点である。
そのため使用者は専門の組織に行き、鼻あてを加熱し、鼻あてを柔らかさせてから、鼻あての位置を調整する必要があるが、使用者は自分で調整することができず不便である。また、鼻あてと、眼鏡フレームとは同じ材料を採用し、固く、かつ身に飾ることは快適ではない。
なお、鼻あての位置を調整可能にした先行文献としては特許文献５〜８などが知られている。
【先行技術文献】
【特許文献】
【０００３】
【特許文献１】特開２００８−５１８３７号（図２等参照）
【特許文献２】特開２００１−２１５４４９号公報
【特許文献３】特開２００４−２５２２９３号公報
【特許文献４】特開２００３−４３４２３号公報
【特許文献５】特開２００１−２４２４２５号公報
【特許文献６】特開２００８−２９２９１７号公報
【特許文献７】特開２０００−１１１８４５号公報
【特許文献８】実用新案登録第２５９５７６６号公報
【発明の開示】
【発明が解決しようとする課題】
【０００４】
本発明は、従来技術の前記課題を解決し、分解可能および調節可能な縁なし眼鏡を提供し、上記文献とは異なる手段で鼻あての角度を調節でき、自分で眼鏡テンプルを取り外すことをできる分解可能および調節可能な縁なし眼鏡を提供する。
【課題を解決するための手段】
【０００５】
上記課題を解決するために、請求項１に記載の発明は、縁なし眼鏡レンズ（１０）と、眼鏡テンプル（２０）と、鼻あて（３０）とを有し、前記縁なし眼鏡レンズの二つの外側周縁は別々に外へ延伸する突出部（１１）が形成され、二つの眼鏡テンプルの先端には別々に前後中空の挿入ホール（２１）が設置され、縁なし眼鏡レンズの突出部（１１）を挿入ホール（２１）に挿入し、その一部を挿入ホール（２１）の後端からむき出しにし、二つの眼鏡テンプルの先端部には別々に一つの回転体（４０）が回転できるように設置され、前記回転体を回転することによって、挿入ホール（２１）の後端から突出する縁なし眼鏡レンズの突出部（１１）の一部とクランプして固定する構成としてある。
【０００６】
請求項２に記載するように、前記回転体（４０）にクランプピン（４１）が形成されるとともに、前記縁なし眼鏡レンズ（１０）の突出部（１１）には前記クランプピンが嵌合されるはめ込みホール（１２）が形成され、前記突出部（１１）を挿入ホール（２１）に挿入して前記はめ込みホール（１２）を前記挿入ホール（２１）の後端から突出させ、前記回転体を回転させることによって、前記クランプピン（４１）を前記突出部のはめ込みホール（１２）に嵌合させるようにしてもよい。
【０００７】
請求項３に記載するように、前記挿入ホール（２１）の後側と対応する前記二つの眼鏡テンプル（２３）の先端部の裏側面には別々に一つの収容溝（２２）が設置され、前記挿入ホール（２１）の後端は前記収容溝（２２）に連通し、前記回転体（４０）は前記眼鏡テンプルの収容溝内に回転できるように設けられていてもよい。
【０００８】
請求項４に記載するように、前記回転体の一端は前記眼鏡テンプルの収容溝内に回転できるように設置され、前記回転体のもう一端には凹部（４３）が形成されて前記回転体の他端部を二つの支部に分割し、前記回転体を縁なし眼鏡レンズの突出部（１１）の一部とクランプさせる際に、一方の前記支部を前記収容溝（２２）内に収容し、他方の前記支部を前記収容溝（２２）の外に突出させて回転ハンドルを形成してもよい。
【０００９】
請求項５に記載するように、前記二つの眼鏡テンプルは眼鏡テンプル本体（２３）と、接続部材（２４）とを有し、接続部材（２４）を眼鏡テンプル本体の先端に接続し、前記挿入ホール（２１）と、収容溝（２２）とが前記接続部材に形成されるように構成してもよい。
【００１０】
請求項６に記載するように、前記眼鏡テンプル本体の先端が前記接続部材の後端に回転可能に取り付けられ、前記接続部材の後端の外側には回り止め壁が形成され、この回り止め壁によって展開状態の前記眼鏡テンプル本体の展開方向への回転を規制するようにしてもよい。
【００１１】
請求項７に記載するように、前記接続部材の後端の裏側には一つの後開きの凹溝が設置され、前記眼鏡テンプル本体の先端には一つの延伸部があり、前記延伸部を凹溝に回転できるように設置され、前記凹溝の溝底部の位置する構造が前記回り止め壁を形成してもよい。
【００１２】
本発明においては、請求項８に記載するように、前記鼻あて（３０）にはパッド（３１）と、パッドホルダー（３２）と、固定軸（３３）と、ホルダー（３４）とを有し、前記パッドホルダー（３２）の一端にはクランプ縁（３２１）が形成され、前記パッドの底端には前記クランプ縁と係合する固定凹溝が形成され、前記クランプ溝と前記固定凹溝とを係合させることで前記パッドホルダー（３２）に前記パッド（３１）を取り付け、前記パッドホルダー（３２）のもう他端にはクラッド構造（３２２）が形成されるとともに前記クラッド構造（３２２）が固定軸（３３）を軸に回転できるように形成され、前記ホルダー（３４）の両端にラグ（３４１）が設けられ、二つのラグの相対側の頂端にはクランプ溝（３４２）が形成され、前記クランプ溝の側壁にはホールが設置され、ホールと対応するために、前記固定軸の両端にはいくつかのエンボス（３３１）が設置され、前記固定軸の両端をクランプ溝内に挿入でき、エンボス（３３１）を対応のホール内に嵌め込んで前記固定軸を固定し、前記縁なし眼鏡レンズには取り付けホルダー（６０）が設けられ、この取り付けホルダー（６０）によって前記ホルダー（３４）及びパッド（３１）を前記縁なし眼鏡レンズに取り付けるように構成するとよい。
請求項９に記載するように、前記クラッド構造は中空の円柱体で、前記固定軸の断面は多角形としてもよい。
請求項１０に記載するように、前記クラッド構造の側壁にはまだクランプ口が設置され、前記固定軸の外壁には制限ラグが対応して設置され、前記制限ラグがクランプ口内に位置し、クラッド構造の回転角度を制限するようにしてもよい。
【００１３】
請求項１１に記載するように、記クラッド構造の内壁にはいくつかの細溝が固定軸の軸方向へ延伸して設置され、前記固定軸の外周にはいくつかの突出バーが設置される構成としてもよい。
【発明の効果】
【００１４】
以上に述べたように、従来技術と比べると、本発明には以下の特徴がある。
すなわち本発明では、縁なし眼鏡レンズの二つの外側周縁は別々に外へ延伸して、突出部を形成し、二つの眼鏡テンプルの先端には別々に前後中空の挿入ホールが設置され、同時に、眼鏡テンプルに一つの回転体が回転できるように設置され、前記回転体を回転することによって、挿入ホールの後端からむき出しにする縁なし眼鏡レンズの突出部の一部とクランプして固定させ、あるいはそれから外させ、縁なし眼鏡レンズの突出部を挿入ホールに定位させ、あるいは挿入ホールから退出させる。以上によって、使用者が回転体を操作し、眼鏡テンプルと、縁なし眼鏡レンズとの間は固定接続し、あるいは分解可能な状態で、眼鏡テンプルを組立分解することを迅速に完成し、且つ眼鏡テンプルの組立分解工程では、ねじ回しなどを使わずに操作できる。だから、本発明の特徴として、操作が便利で、しっかりと接続する。そのほかに、本発明の鼻あてとして、パッドと、パッドホルダーと、固定軸と、ホルダーとを分解可能な方式で組立し、違った使用者および人種によって、違った色および材料を選択し、身に飾ることはもっと快適で、おしゃれで、取り換えることや取り外すことは便利で、異なる使用者を満足させる。
【発明を実施するための最良の形態】
【００１５】
以下に本発明の好適な実施形態を詳細に説明する。
【００１６】
［第一の実施形態］
図1に示すように、本発明の縁なし眼鏡は、縁なし眼鏡レンズ１０と、眼鏡テンプル２０と、鼻あて３０とを有する。図２ないし図４に示すように、前記縁なし眼鏡レンズ１０の二つの外側周縁は別々に外へ延伸して、突出部１１を形成する。二つの眼鏡テンプル２０の先端には別々に前後中空の挿入ホール２１が設置され、縁なし眼鏡レンズ１０の突出部１１を挿入ホール２１に挿入し、その一部を挿入ホール２１の後端からむき出しにする。二つの眼鏡テンプル２０の先端部には別々に一つの回転体４０が回転できるように設置され、前記回転体４０を回転することによって、挿入ホール２１の後端からむき出しにする縁なし眼鏡レンズ１０の突出部１１の一部とクランプして固定させ、あるいはそれから外させ、縁なし眼鏡レンズ１０の突出部１１を挿入ホール２１に定位させ、あるいは挿入ホール２１から退出させる。具体的には、回転体４０には一つのクランプピン４１が設置され、縁なし眼鏡レンズ１０の突出部１１には一つのはめ込みホール１２が設置され、そして、突出部１１を挿入ホール２１に挿入するとき、前記はめ込みホール１２を挿入ホール２１の後端からむき出しにし、回転体４０を回転することによって、そのクランプピン４１を突出部１１のはめ込みホール１２にクランプさせ、あるいはそれから外させる。挿入ホール２１の後側と対応する二つの眼鏡テンプル２０の先端部の裏側面には別々に一つの収容溝２２が設置され、挿入ホール２１の後端は前記収容溝２２とつながり、縁なし眼鏡レンズ１０の突出部１１を挿入ホール２１に挿入するとき、そのはめ込みホール１２を収容溝２２内に合わせ、回転体４０は眼鏡テンプル２０の収容溝２２内に回転できるように設置される。
【００１７】
好ましい実施例には、回転体４０の一端はテンプル２０の収容溝２２内に回転できるように設置される。具体的には、回転体４０はバルク構造で、その一端には上下中空のホール４２が設置され、前記ホール４２を一つの第一ピン軸５０に掛けて、そして、前記ピン軸５０を収容溝２２の上溝壁と、下溝壁との間に挿入し、回転体４０が前記第一ピン軸５０を中心に回転できるように設置される。回転体４０のもう一端には凹部４３が設置され、回転体４０のもう一端部を二つの支部に分けさせ、回転体４０のクランプピン４１を縁なし眼鏡レンズ１０のはめ込みホール１２にクランプするとき、回転体４０の一つの支部を収容溝２２内に収容し、もう一つの支部を収容溝２２外に合わせ、回転体４０の回転ハンドルを形成する。
【００１８】
好ましい実施例には、二つの眼鏡テンプル２０には別々に眼鏡テンプル本体２３と、接続部材２４とがあり、接続部材２４を眼鏡テンプル本体２３の先端に接続し、挿入ホール２１と、収容溝２２とが別々に前記接続部材２４に設置される。好ましい実施例には、眼鏡テンプル本体２３の先端が接続部材２４の後端に回転できるように設置され、且つ接続部材２４の後端の外側には回り止め壁２５が設置され、展開状態の眼鏡テンプル本体２３を展開方向へ回転し続くことを制限する。具体的には、接続部材２４の後端の裏側には一つの後開きの凹溝２６が設置され、眼鏡テンプル本体２３の先端には一つの延伸部２７があり、前記延伸部２７を前記凹溝２６の後開口から前記凹溝２６にいれ、且つ回転できるように設置され（前記延伸部２７が凹溝２６内に回転できるように設置される方式は前記回転体４０が収容溝２２内に回転できるように設置される方式と同じである）、前記凹溝２６の溝底部の位置する端面が回り止め壁２５を形成する。
【００１９】
図６ないし図１１に示すように、前記鼻あて３０にはパッド３１と、パッドホルダー３２と、固定軸３３と、ホルダー３４とがあり、前記パッド３１の底端には固定凹溝３１１が裏へ延伸して開設される。前記パッドホルダー３２の一端の両側にはクランプ縁３２１が設置され、固定凹溝３１１に挿入し、パッド３１と固定接続することに使い、前記パッドホルダー３２のもう一端にはクラッド構造３２２が設置され、固定軸３３の両端を通過することに使い、前記クラッド構造３２２が固定軸３３を中心に回転できるように設置される。前記ホルダー３４の両端には別々に一つのラグ３４１が設置され、二つのラグ３４１の相対側の頂端にはクランプ溝３４２が底部へ延伸して開設され、前記クランプ溝３４２の側壁にはいくつかのホールが設置される。ホールと対応するために、前記固定軸３３の両端にはいくつかのエンボス３３１が設置され、前記固定軸３３の両端をクランプ溝３４２内に挿入でき、エンボス３３１を対応のホール内に正確にクランプし、固定軸３３を固定することを実現でき、前記縁なし眼鏡レンズ１０には一つの取り付けホルダー６０が設置され、鼻あて３０を固定することに使う。前記取り付けホルダー６０はU字型で、その上には二つの固定バー６１が設置され、二つの鼻あて３０を固定することに使う。前記固定バー６１の断面は台形で、上が大きく、下は小さく、鼻あて３０のホルダー３４の底部には取り付け溝３４３がその両端を貫通して設置され、固定バー６１と合わせる。
【００２０】
クラッド構造３２２は中空の円柱体で、固定軸３３の断面は多角形である。クラッド構造３２２の回転活動を円滑にするために、クラッド構造３２２の側壁に開け口が固定軸３３の軸方向へ延伸して開設される（図示しない）。
【００２１】
そのほかに、クラッド構造３２２の回転角度を制限するために、クラッド構造３２２の側壁にはまだクランプ口３２３が設置され、固定軸３３の外壁には制限ラグ３３２が対応して設置され、前記制限ラグ３３２がクランプ口内３２３に位置する。
【００２２】
本発明では、クラッド構造３２２の内壁にはいくつかの細溝３２４が固定軸３３の軸方向へ延伸して設置され、固定軸３３の外周には一つ突出バー３３３が対応して設置されて、クラッド構造３２２を回転させるとき摩擦力を与え、シフトフィーリングを良好にする。
【００２３】
本発明では、眼鏡テンプル２０の先端は縁なし眼鏡レンズ１０に近接する眼鏡テンプル２０の一端で、ついでに、眼鏡テンプル２０の後端は縁なし眼鏡レンズ１０から離れる眼鏡テンプル２０の一端である。同じように、前記接続部材２４の先端および後端の定義と、眼鏡テンプル本体２３の先端および後端の定義とも同じである。取り付ける時、図１と、図２と、図５とに示すように、まず縁なし眼鏡レンズ１０の突出部１１を接続部材２４の挿入ホール２１に挿入し、突出部１１のはめ込みホール１２を挿入ホール２１からむき出しにし、かつ収容溝２２内に位置する。そして、眼鏡テンプル２０の外側方向を沿って、回転体４０を回転し、回転体４０を接続部材２４の収容溝２２内に回転すると同時に、回転体４０のクランプピン４１を縁なし眼鏡レンズ１０のはめ込みホール１２にクランプし、縁なし眼鏡レンズ１０を二つの眼鏡テンプル２０と取り付けることを完成できる。取り外す時、接続部材２４の収容溝２２外からむき出しにする回転体４０の支部を引っ張って、回転体４０を眼鏡テンプル２０の裏側方向を沿って回転し、接続部材２４の収容溝２２外から退出し、同時に、回転体４０のクランプピン４１を縁なし眼鏡レンズ１０のはめ込みホール１２から退出し、そして、縁なし眼鏡レンズ１０と、眼鏡テンプル２０との間は分解可能な状態で、縁なし眼鏡レンズ１０の突出部１１を接続部材２４の挿入ホール２１から脱出するだけで、眼鏡レンズ１０を眼鏡テンプル２０から取り外すことを迅速に完成できる。
【００２４】
鼻あて３０の取り付け工程は以下のように、まず固定軸３３をパッドホルダー３２のクラッド構造３２２に挿入し、パッドホルダー３２端部のクランプ縁３２１を固定凹溝３１１に挿入し、パッド３１を固定することを実現できる。そして、固定軸３３の固定されたクラッド構造３２２をホルダー３４のクランプ溝３４２にあわせて挿入し、固定軸３３両端のエンボス３３１を対応のホール内に正確にクランプし、固定軸３３を固定することを実現でき、すなわち、鼻あて３０を組立する。二つの鼻あて３０のホルダー３４底部の取り付け溝３４３を別々に取り付けホルダー６０の二つの固定バー６１を沿って滑り込み、固定し、そして、鼻あて３０を付けホルダー６０に固定させ、組立することを完成する。取り外すとき、まず鼻あて３０のホルダー３４を固定バー６１から取り外してから、パッド３１と、パッドホルダー３２と、固定軸３３とを別々に取り外す。
【００２５】
［第二の実施形態］
一種類の分解可能および調節可能な縁なし眼鏡には、その主な技術特徴は第一の実施形態と同じで、区別は以下のように、縁なし眼鏡レンズの鼻位置には二つの取り付けホルダーが設置され、各々の取り付けホルダーには一つの固定バーが設置され、一つの鼻あてを固定することに使う。
【００２６】
以上のように、ただ本発明の具体的な実施例を開示したが，本発明のデザインアイディアはこれに限定されるものではなく，当業者が，本発明のアイディアと範囲に基づいて色々変形させることは可能であり，それらは本発明の請求項の保護範囲から排除するものではない。
【図面の簡単な説明】
【００２７】
【図１】本発明の全体構成の説明図を示す。
【図２】本発明の縁なし眼鏡レンズと、眼鏡テンプルとの分解図を示す。
【図３】本発明の接続部材の拡大図を示す。
【図４】本発明の回転体の拡大図を示す。
【図５】本発明の眼鏡テンプルと、縁なし眼鏡レンズとの組立図を示す。
【図６】本発明の鼻あてと、取り付けホルダーとの説明図を示す。
【図７】本発明の鼻あて全体の説明図を示す。
【図８】本発明の鼻あての分解説明図を示す。
【図９】本発明のパッドホルダーと、固定軸との組立説明図を示す。
【図１０】本発明の固定軸の説明図を示す。
【図１１】本発明のホルダーの説明図を示す。
【符号の説明】
【００２８】
１０        縁なし眼鏡レンズ
１１        突出部
１２        はめ込みホール
２０        眼鏡テンプル
２１        挿入ホール
２２        収容溝
２３        眼鏡テンプル本体
２４        接続部材
３０        鼻あて
３１        パッド
３２        パッドホルダー
３３        固定軸
３４        ホルダー
４０        回転体
４１        クランプピン
４３        凹部
【図１】
2015210528.tif 000003
【図２】
2015210528.tif 000004
【図３】
2015210528.tif 000005
【図４】
2015210528.tif 000006
【図５】
2015210528.tif 000007
【図６】
2015210528.tif 000008
【図７】
2015210528.tif 000009
【図８】
2015210528.tif 000010
【図９】
2015210528.tif 000011
【図１０】
2015210528.tif 000012
【図１１】
2015210528.tif 000013